(57)【要約】【課題】ＵＥ（ユーザー端末）でスケジューリングリクエスト（ＳＲ）プロシージャに対応するランダムアクセス（ＲＡ）プロシージャーを実行するときに発生しうるアップリンク伝送エラーまたはＲＡプロシージャの失敗を防止するために、ＳＲプロシージャとＲＡプロシージャーの間の相互作用を改善する方法及び通信装置を提供する。【解決手段】方法は、ＳＲプロシージャをトリガーする段階と、ＵＥにＰＵＣＣＨ（物理アップリンク制御チャネル）が既に配置されていれば、新規伝送のために割り当てられたアップリンク伝送リソースを受信するまで、またはＤ−ＳＲ（専用スケジューリングリクエスト）メッセージの送信回数が所定回数に達するまで、ＰＵＣＣＨでＤ−ＳＲメッセージを繰り返して送信する段階と、Ｄ−ＳＲメッセージの送信回数が前記所定回数に達すれば、ＳＲプロシージャに対応するＲＡプロシージャを実行する前に、ＵＥに割り当てられたすべての所定伝送リソースの使用を停止する段階とを含む。【選択図】図４
2010088114.tif 000002
【特許請求の範囲】
【請求項１】
無線通信システムのＵＥ（ユーザー端末）においてスケジューリングリクエスト（ＳＲ）プロシージャとランダムアクセス（ＲＡ）プロシージャの相互作用を改善する方法であって、
ＳＲプロシージャをトリガーする段階と、
前記ＵＥにＰＵＣＣＨ（物理アップリンク制御チャネル）が既に配置されていれば、新規伝送のために割り当てられたアップリンク伝送リソースを受信するまで、またはＤ−ＳＲ（専用スケジューリングリクエスト）メッセージの送信回数が所定回数に達するまで、前記ＰＵＣＣＨで前記Ｄ−ＳＲメッセージを繰り返して送信する段階と、
前記Ｄ−ＳＲメッセージの送信回数が前記所定回数に達すれば、前記ＳＲプロシージャに対応するＲＡプロシージャを実行する前に、前記ＵＥに割り当てられたすべての所定伝送リソースの使用を停止する段階とを含む、ＳＲプロシージャ・ＲＡプロシージャの相互作用を改善する方法。
【請求項２】
前記アップリンク伝送リソースはＵＬ−ＳＣＨ（アップリンク共用チャネル）リソースである、請求項１に記載のＳＲプロシージャ・ＲＡプロシージャの相互作用を改善する方法。
【請求項３】
前記方法は更に、
前記ＳＲプロシージャに対応するＲＡプロシージャを実行する前に、前記ＵＥに配置されたすべてのＰＵＣＣＨを解放する段階を含む、請求項１または２に記載のＳＲプロシージャ・ＲＡプロシージャの相互作用を改善する方法。
【請求項４】
前記所定回数は、ＲＲＣ（無線リソース制御）層で設定されるパラメータＤＳＲ＿ＴＲＡＮＳ＿ＭＡＸにより定められる、請求項１から３の何れか１項に記載のＳＲプロシージャ・ＲＡプロシージャの相互作用を改善する方法。
【請求項５】
前記ＵＥに割り当てられた所定伝送リソースはＳＰＳ（セミパーシステントスケジューリング）伝送リソースを含む、請求項１から４の何れか１項に記載のＳＲプロシージャ・ＲＡプロシージャの相互作用を改善する方法。
【請求項６】
無線通信システムのＵＥにおいてＳＲプロシージャとＲＡプロシージャの相互作用を改善するための通信装置であって、
プログラムを実行するＣＰＵ（中央処理装置）と、
前記ＣＰＵに結合され、前記プログラムを記憶する記憶装置とを含み、前記プログラムは、
ＳＲプロシージャをトリガーする段階と、
前記ＵＥにＰＵＣＣＨが既に配置されていれば、新規伝送のために割り当てられたアップリンク伝送リソースを受信するまで、またはＤ−ＳＲメッセージの送信回数が所定回数に達するまで、前記ＰＵＣＣＨで前記Ｄ−ＳＲメッセージを繰り返して送信する段階と、
前記Ｄ−ＳＲメッセージの送信回数が前記所定回数に達すれば、前記ＳＲプロシージャに対応するＲＡプロシージャを実行する前に、前記ＵＥに割り当てられたすべての所定伝送リソースの使用を停止する段階とを含む、通信装置。
【請求項７】
前記アップリンク伝送リソースはＵＬ−ＳＣＨリソースである、請求項６に記載の通信装置。
【請求項８】
前記プログラムは更に、
前記ＳＲプロシージャに対応するＲＡプロシージャを実行する前に、前記ＵＥに配置されたすべてのＰＵＣＣＨを解放する段階を含む、請求項６または７に記載の通信装置。
【請求項９】
前記所定回数は、ＲＲＣ層で設定されるパラメータＤＳＲ＿ＴＲＡＮＳ＿ＭＡＸにより定められる、請求項６から８の何れか１項に記載の通信装置。
【請求項１０】
前記ＵＥに割り当てられた所定伝送リソースはＳＰＳ伝送リソースを含む、請求項６から９の何れか１項に記載の通信装置。
【請求項１１】
無線通信システムのＵＥにおいてＳＲプロシージャとＲＡプロシージャの相互作用を改善する方法であって、
ＳＲプロシージャをトリガーする段階と、
前記ＵＥにＰＵＣＣＨが既に配置されていれば、新規伝送のために割り当てられたアップリンク伝送リソースを受信するまで、またはＤ−ＳＲメッセージの送信回数が所定回数に達するまで、前記ＰＵＣＣＨで前記Ｄ−ＳＲメッセージを繰り返して送信する段階と、
前記Ｄ−ＳＲメッセージの送信回数が前記所定回数に達すれば、前記ＳＲプロシージャに対応するＲＡプロシージャを実行する前に、前記ＵＥのすべてのＨＡＲＱ（ハイブリッド自動リピート要求）バッファの内容を消去する段階とを含む、ＳＲプロシージャ・ＲＡプロシージャの相互作用を改善する方法。
【請求項１２】
無線通信システムのＵＥにおいてＳＲプロシージャとＲＡプロシージャの相互作用を改善するための通信装置であって、
プログラムを実行するＣＰＵと、
前記ＣＰＵに結合され、前記プログラムを記憶する記憶装置とを含み、前記プログラムは、
ＳＲプロシージャをトリガーする段階と、
前記ＵＥにＰＵＣＣＨが既に配置されていれば、新規伝送のために割り当てられたアップリンク伝送リソースを受信するまで、またはＤ−ＳＲメッセージの送信回数が所定回数に達するまで、前記ＰＵＣＣＨで前記Ｄ−ＳＲメッセージを繰り返して送信する段階と、
前記Ｄ−ＳＲメッセージの送信回数が前記所定回数に達すれば、前記ＳＲプロシージャに対応するＲＡプロシージャを実行する前に、前記ＵＥのすべてのＨＡＲＱバッファの内容を消去する段階とを含む、通信装置。
【請求項１３】
無線通信システムのＵＥにおいてＳＲプロシージャとＲＡプロシージャの相互作用を改善する方法であって、
ＲＡプロシージャをトリガーする段階と、
前記ＲＡプロシージャを実行する前に、前記ＵＥに割り当てられたすべての所定伝送リソースの使用を停止する段階とを含む、ＳＲプロシージャ・ＲＡプロシージャの相互作用を改善する方法。
【請求項１４】
前記ＲＡプロシージャは、前記ＵＥにＰＵＣＣＨが配置されていない状態でＳＲプロシージャによりトリガーされる、請求項１３に記載のＳＲプロシージャ・ＲＡプロシージャの相互作用を改善する方法。
【請求項１５】
無線通信システムのＵＥにおいてＳＲプロシージャとＲＡプロシージャの相互作用を改善するための通信装置であって、
プログラムを実行するＣＰＵと、
前記ＣＰＵに結合され、前記プログラムを記憶する記憶装置とを含み、前記プログラムは、
ＲＡプロシージャをトリガーする段階と、
前記ＲＡプロシージャを実行する前に、前記ＵＥに割り当てられたすべての所定伝送リソースの使用を停止する段階とを含む、通信装置。
【請求項１６】
前記ＲＡプロシージャは、前記ＵＥにＰＵＣＣＨが配置されていない状態でＳＲプロシージャによりトリガーされる、請求項１５に記載の通信装置。
【発明の詳細な説明】
【技術分野】
【０００１】
本発明はスケジューリングリクエスト（ＳＲ）プロシージャとランダムアクセス（ＲＡ）プロシージャーの間の相互作用を改善する方法及び通信装置に関し、特に無線通信システムのＵＥ（ユーザー端末）においてＳＲプロシージャとＲＡプロシージャーの間の相互作用を改善し、ＵＥでＳＲプロシージャに対応するＲＡプロシージャーを実行するときにＵＥのアップリンク伝送エラーまたはＲＡプロシージャの失敗を防止する方法及び通信装置に関する。
【背景技術】
【０００２】
ＬＴＥ（ｌｏｎｇ  ｔｅｒｍ  ｅｖｏｌｕｔｉｏｎ）無線通信システムは、第三世代移動通信システム（例えばＵＭＴＳ（汎用移動通信システム））をもとに確立されたアドバンスド高速無線通信システムである。ＬＴＥ無線通信システムはパケット交換のみサポートし、そのＲＬＣ（無線リンク制御）通信プロトコル層とＭＡＣ（媒体アクセス制御）通信プロトコル層は基地局（ノードＢ）とＲＮＣ（無線ネットワークコントローラ）に別々に設けなくてもよく、同一の通信ネットワークエンティティー（例えば基地局（ノードＢ））に統合できるので、システム構造が比較的に簡単である。
【０００３】
ＬＴＥシステムでは、ｅＮＢ（エンハンスドノートＢ）などのＥ−ＵＴＲＡＮ（エボルブドＵＭＴＳ地上無線アクセスネットワーク）は無線リソースを割り当てることで、ＵＥに伝送リソースを与え、ネットワークへのデータのアップリンク伝送、及びネットワークからのデータのダウンリンク伝送を可能にする。無線リソースの割り当て方式としては、所定リソース割り当て方式とダイナミックリソース割り当て方式という２種類がある。所定リソース割り当て方式によれば、ネットワークはＲＲＣ（無線リソース制御）シグナリングで無線リソースを割り当てるので、ＵＥは一定のデータ量を有するデータ（例えば音声データ）を周期的に伝送できる。ＵＥは周期的なＴＴＩ（送信時間間隔）において、割り当てられた無線リソースを利用してデータをアップリンクかダウンリンク伝送することで、ネットワークとデータを交換する。一方、ダイナミックリソース割り当て方式によれば、ネットワークは同じセルにあるＵＥの数量、流量、及びＱｏＳ（サービス品質）によって、無線リソースをＵＥにダイナミックに割り当てる。また、ＵＥはＰＤＣＣＵ（物理ダウンリンク制御チャネル）をモニターして制御シグナリングを受信することで、ダウンリンクまたはアップリンクの伝送リソースを取得する。
【０００４】
ダイナミックリソース割り当て方式によれば、ＵＥにアップリンク伝送のデータがあるが、利用できるＵＬ−ＳＣＨ（アップリンク共用チャネル）リソースがない場合では、ＵＥはアップリンクデータを伝送するために、ＳＲプロシージャでアップリンク伝送リソースを割り当てるようにネットワークに求める。ＵＥにＰＵＣＣＨ（物理アップリンク制御チャネル）リソースが既に配置（ｃｏｎｆｉｇｕｒｅ）されれば、ＳＲメッセージはＰＵＣＣＨで送信される。さもなければ、例えばＵＥにＰＵＣＣＨリソースがないか、または配置されたＰＵＣＣＨリソースが無効になった場合では、ＲＡプロシージャでアップリンク伝送リソースを割り当てるようにネットワークに求めなければならない。ＰＵＣＣＨリソースはＵＥ専用の伝送リソースであるので、ＰＵＣＣＨで送信されるＳＲメッセージは専用スケジューリングリクエスト（Ｄ−ＳＲ）メッセージとも呼ばれる。それに対して、ＲＡプロシージャで送信されるＳＲメッセージは、ランダムアクセススケジューリングリクエスト（ＲＡ−ＳＲ）メッセージと呼ばれる。
【０００５】
現行の仕様によれば、スケジューリングプロシージャがトリガーされると、ＵＥにＰＵＣＣＨリソースが既に配置されていれば、ＵＥは、新規伝送のために割り当てられた伝送リソースをネットワークから受信するまで、またはＤ−ＳＲメッセージの送信回数が所定パラメーターＤＳＲ＿ＴＲＡＮＳ＿ＭＡＸを超えるまで、ＰＵＣＣＨでＤ−ＳＲメッセージを周期的に送信する。Ｄ−ＳＲメッセージの送信回数が所定パラメーターＤＳＲ＿ＴＲＡＮＳ＿ＭＡＸを超えれば、ＵＥのアップリンク伝送に問題が発生したかもしれない。例えば、ＰＵＣＣＨリソースが無効になったか、またはアップリンクタイミングと同期しなくなり、ＵＥから送信されるＤ−ＳＲメッセージがネットワークに正常に受信・復号されない問題である。この場合、ＵＥはＤ−ＳＲメッセージの送信を止め、配置されたＰＵＣＣＨリソースを解放し、ＲＡプロシージャでＳＲメッセージを送信しなければならない。前記パラメータＤＳＲ＿ＴＲＡＮＳ＿ＭＡＸは、ＲＲＣシグナリングにより設定される。
【０００６】
しかし、ＵＥにネットワークから予め割り当てられた周期的伝送リソース（例えばＳＰＳ（セミパーシステントスケジューリング）伝送リソース）があった場合、Ｄ−ＳＲメッセージの送信回数がパラメータＤＳＲ＿ＴＲＡＮＳ＿ＭＡＸを超えれば、ＵＥのアップリンク伝送に問題が発生したかもしれない。このとき、前記周期的伝送リソースを引き続き利用すれば、送信が失敗したり他ＵＥへの妨害が生じうる。一方、ＵＥがＲＡプロシージャでＳＲメッセージを送信した場合では、割り当てられた所定の周期的伝送リソースがＲＡプロシージャのメッセージ２で運ばれるＵＬ−ＳＣＨリソースと衝突し、ＲＡプロシージャのメッセージ３が割り当てられた所定の周期的伝送リソースを誤用してデータのアップリンク伝送を行い、ＲＡプロシージャの失敗によりＵＥがアップリンク伝送リソースを取得できない場合がある。
【発明の概要】
【発明が解決しようとする課題】
【０００７】
本発明は、ＵＥでＳＲプロシージャに対応するＲＡプロシージャーを実行するときに発生しうるアップリンク伝送エラーまたはＲＡプロシージャの失敗を防止するために、ＳＲプロシージャとＲＡプロシージャーの間の相互作用を改善する方法及び通信装置を提供することを課題とする。
【課題を解決するための手段】
【０００８】
本発明では、無線通信システムのＵＥ（ユーザー端末）においてスケジューリングリクエスト（ＳＲ）プロシージャとランダムアクセス（ＲＡ）プロシージャの相互作用を改善する方法を開示する。同方法は、ＳＲプロシージャをトリガーする段階と、ＵＥにＰＵＣＣＨ（物理アップリンク制御チャネル）が既に配置されていれば、新規伝送のために割り当てられたアップリンク伝送リソースを受信するまで、またはＤ−ＳＲ（専用スケジューリングリクエスト）メッセージの送信回数が所定回数に達するまで、ＰＵＣＣＨでＤ−ＳＲメッセージを繰り返して送信する段階と、Ｄ−ＳＲメッセージの送信回数が前記所定回数に達すれば、ＳＲプロシージャに対応するＲＡプロシージャを実行する前に、ＵＥに割り当てられたすべての所定伝送リソースの使用を停止する段階とを含む。
【０００９】
本発明では更に、無線通信システムのＵＥにおいてＳＲプロシージャとＲＡプロシージャの相互作用を改善するための通信装置を開示する。通信装置は、プログラムを実行するＣＰＵ（中央処理装置）と、ＣＰＵに結合され、プログラムを記憶する記憶装置とを含む。プログラムは、ＳＲプロシージャをトリガーする段階と、ＵＥにＰＵＣＣＨが既に配置されていれば、新規伝送のために割り当てられたアップリンク伝送リソースを受信するまで、またはＤ−ＳＲメッセージの送信回数が所定回数に達するまで、ＰＵＣＣＨでＤ−ＳＲメッセージを繰り返して送信する段階と、Ｄ−ＳＲメッセージの送信回数が前記所定回数に達すれば、ＳＲプロシージャに対応するＲＡプロシージャを実行する前に、ＵＥに割り当てられたすべての所定伝送リソースの使用を停止する段階とを含む。
【００１０】
本発明では更に、無線通信システムのＵＥにおいてＳＲプロシージャとＲＡプロシージャの相互作用を改善する方法を開示する。同方法は、ＳＲプロシージャをトリガーする段階と、ＵＥにＰＵＣＣＨが既に配置されていれば、新規伝送のために割り当てられたアップリンク伝送リソースを受信するまで、またはＤ−ＳＲメッセージの送信回数が所定回数に達するまで、ＰＵＣＣＨでＤ−ＳＲメッセージを繰り返して送信する段階と、Ｄ−ＳＲメッセージの送信回数が所定回数に達すれば、ＳＲプロシージャに対応するＲＡプロシージャを実行する前に、ＵＥのすべてのＨＡＲＱ（ハイブリッド自動リピート要求）バッファの内容を消去する段階とを含む。
【００１１】
本発明では更に、無線通信システムのＵＥにおいてＳＲプロシージャとＲＡプロシージャの相互作用を改善するための通信装置を開示する。通信装置は、プログラムを実行するＣＰＵと、ＣＰＵに結合され、プログラムを記憶する記憶装置とを含む。プログラムは、ＳＲプロシージャをトリガーする段階と、ＵＥにＰＵＣＣＨが既に配置されていれば、新規伝送のために割り当てられたアップリンク伝送リソースを受信するまで、またはＤ−ＳＲメッセージの送信回数が所定回数に達するまで、ＰＵＣＣＨでＤ−ＳＲメッセージを繰り返して送信する段階と、Ｄ−ＳＲメッセージの送信回数が所定回数に達すれば、ＳＲプロシージャに対応するＲＡプロシージャを実行する前に、ＵＥのすべてのＨＡＲＱバッファの内容を消去する段階とを含む。
【００１２】
本発明では更に、無線通信システムのＵＥにおいてＳＲプロシージャとＲＡプロシージャの相互作用を改善する方法を開示する。同方法は、ＲＡプロシージャをトリガーする段階と、ＲＡプロシージャを実行する前に、ＵＥに割り当てられたすべての所定伝送リソースの使用を停止する段階とを含む。
【００１３】
本発明では更に、無線通信システムのＵＥにおいてＳＲプロシージャとＲＡプロシージャの相互作用を改善するための通信装置を開示する。通信装置は、プログラムを実行するＣＰＵと、ＣＰＵに結合され、プログラムを記憶する記憶装置とを含む。プログラムは、ＲＡプロシージャをトリガーする段階と、ＲＡプロシージャを実行する前に、ＵＥに割り当てられたすべての所定伝送リソースの使用を停止する段階とを含む。
【図面の簡単な説明】
【００１４】
【図１】無線通信システムを表す説明図である。
【図２】無線通信システムの無線通信装置のブロック図である。
【図３】図２に示すプログラムを表す説明図である。
【図４】本発明による方法のフローチャートである。
【図５】本発明による方法のフローチャートである。
【図６】本発明による方法のフローチャートである。
【発明を実施するための形態】
【００１５】
かかる方法及び装置の特徴を詳述するために、具体的な実施例を挙げ、図を参照にして以下に説明する。
【００１６】
図１を参照する。図１は無線通信システム１０を表す説明図である。無線通信システム１０は望ましくはＬＴＥシステムであり、概してネットワークと複数のＵＥ（ユーザー端末）を含む。図１に示すネットワークとＵＥは無線通信システム１０の構造を説明するために用いるに過ぎない。実際、ネットワークは要求に応じて複数の基地局、ＲＮＣ（無線ネットワークコントローラー）を含みうる。ＵＥは携帯電話、コンピュータシステムなどの装置である。
【００１７】
図２を参照する。図２は無線通信システムの無線通信装置のブロック図である。無線通信装置１００は図１に示すＵＥを実施するために用いられる。説明を簡素化するために、図２では無線通信装置１００の入力装置１０２、出力装置１０４、制御回路１０６、ＣＰＵ（中央処理装置）１０８、記憶装置１１０、プログラム１１２及びトランシーバー１１４のみ示している。無線通信装置１００では、制御回路１０６はＣＰＵ１０８を用いて記憶装置１１０に記憶されたプログラム１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実施する。
【００１８】
図３を参照する。図３は図２に示すプログラム１１２を表す説明図である。プログラム１１２はアプリケーション層２００と、第三層インターフェイス２０２と、第二層インターフェイス２０６とを含み、第一層インターフェイス２１８に接続されている。第三層インターフェイス２０２はＲＲＣ（無線リソース制御）を実施する。第二層インターフェイス２０６はＲＬＣ（無線リンク制御）層とＭＡＣ（媒体アクセス制御）層を含み、リンク制御を実施する。第一層インターフェイス２１８は物理接続を実施する。
【００１９】
ＬＴＥ無線通信システムにおいて、ＵＥにアップリンク送信されるデータがあるが、利用できるＵＬ−ＳＣＨリソースが無かった場合では、ＭＡＣ層はアップリンクデータを伝送するために、ＳＲプロシージャでアップリンク伝送リソースを割り当てるようにネットワークに求める。ＳＲプロシージャがトリガーされると、ＵＥにＰＵＣＣＨリソースが既に配置されていれば、ＰＵＣＣＨでＳＲメッセージを送信する。さもなければ、例えばＵＥにＰＵＣＣＨリソースがないか、または配置されたＰＵＣＣＨリソースが無効になった場合では、ＲＡプロシージャでＳＲメッセージを送信しなければならない。
【００２０】
それに鑑みて、本発明の実施例では、ＵＥでＳＲプロシージャに対応するＲＡプロシージャーを実行するときにＵＥのアップリンク伝送エラーまたはＲＡプロシージャの失敗を防止するために、ＳＲプロシージャ・ＲＡプロシージャ相互作用改善プログラム２２０を設ける。図４を参照する。図４は本発明による方法４０のフローチャートである。下記方法４０は無線通信システムのＵＥにおいてＳＲプロシージャとＲＡプロシージャの相互作用を改善するために用いられ、ＳＲプロシージャ・ＲＡプロシージャ相互作用改善プログラム２２０としてコンパイルすることができる。
【００２１】
ステップ４００：開始。
ステップ４０２：ＳＲプロシージャをトリガーする。
ステップ４０４：ＵＥにＰＵＣＣＨが既に配置されていれば、新規伝送のために割り当てられたアップリンク伝送リソースを受信するまで、またはＤ−ＳＲメッセージの送信回数が所定回数に達するまで、ＰＵＣＣＨでＤ−ＳＲメッセージを繰り返して送信する。
ステップ４０６：Ｄ−ＳＲメッセージの送信回数が所定回数に達すれば、前記ＳＲプロシージャに対応するＲＡプロシージャを実行する前に、前記ＵＥに割り当てられたすべての所定伝送リソースの使用を停止する。
ステップ４０８：終了。
【００２２】
以上のように、ＳＲプロシージャがトリガーされると、ＵＥにＰＵＣＣＨリソースが既に配置されていれば、ＵＥは新規伝送のために割り当てられたアップリンク伝送リソースを受信するまで、またはＤ−ＳＲメッセージの送信回数が所定回数に達する（例えばＲＲＣ層により設定されたパラメータＤＳＲ＿ＴＲＡＮＳ＿ＭＡＸに達する）まで、ＰＵＣＣＨでＤ−ＳＲメッセージを繰り返して送信する。Ｄ−ＳＲメッセージの送信回数がパラメータＤＳＲ＿ＴＲＡＮＳ＿ＭＡＸを超えると、本発明の実施例によるＵＥは前記ＳＲプロシージャに対応するＲＡプロシージャを実行する前に、割り当てられたすべての所定伝送リソースの使用を停止する。
【００２３】
Ｄ−ＳＲメッセージの送信回数がパラメータＤＳＲ＿ＴＲＡＮＳ＿ＭＡＸを超えれば、ＵＥのアップリンク伝送に問題が発生したかもしれない（例えばＰＵＣＣＨリソースが無効になったか、アップリンクタイミングと同期しなくなり、ＵＥから送られたＤ−ＳＲメッセージがネットワークにより正常に受信・復号されない）。この場合、本発明の実施例ではＳＲプロシージャに対応するＲＡプロシージャを実行する前に、割り当てられたすべての所定伝送リソース（例えばＳＰＳ伝送リソース）の使用を停止し、ＵＥが引き続き周期的伝送リソースを利用してアップリンク伝送を行い、伝送が失敗するのを防止する。また、本発明の実施例は、ＲＡプロシージャのメッセージ３が割り当てられた所定の周期的伝送リソースを誤用するのを防止し、ＵＥでアップリンク伝送リソースを取得できないのを改善する効果がある。
【００２４】
したがって、Ｄ−ＳＲメッセージの送信回数が所定回数を超え、ＲＡプロシージャでＲＡ−ＳＲメッセージを送信した場合、本発明の実施例では配置されたすべてのＰＵＣＣＨリソースを解放し、割り当てられたすべての所定周期的伝送リソースの使用を停止することで、ＵＥのアップリンク伝送エラーやＲＡプロシージャの失敗を防止する。
【００２５】
注意すべきは、本発明の実施例では、実際の要求に応じて、使用を停止された割り当てられた所定周期的伝送リソースを、ＲＡプロシージャの完成後に再び使用することが可能である。これも本発明の範囲に属する。
【００２６】
図５を参照する。図５は本発明による方法５０のフローチャートである。下記方法５０は無線通信システムのＵＥにおいてＳＲプロシージャとＲＡプロシージャの相互作用を改善するために用いられ、ＳＲプロシージャ・ＲＡプロシージャ相互作用改善プログラム２２０としてコンパイルすることができる。
【００２７】
ステップ５００：開始。
ステップ５０２：ＳＲプロシージャをトリガーする。
ステップ５０４：ＵＥにＰＵＣＣＨが既に配置されていれば、新規伝送のために割り当てられたアップリンク伝送リソースを受信するまで、またはＤ−ＳＲメッセージの送信回数が所定回数に達するまで、ＰＵＣＣＨでＤ−ＳＲメッセージを繰り返して送信する。
ステップ５０６：Ｄ−ＳＲメッセージの送信回数が所定回数に達すれば、前記ＳＲプロシージャに対応するＲＡプロシージャを実行する前に、前記ＵＥのすべてのＨＡＲＱ（ハイブリッド自動リピート要求）バッファの内容を消去する。
ステップ５０８：終了。
【００２８】
Ｄ−ＳＲメッセージの送信回数が所定回数を超えれば、ＵＥのアップリンク伝送に問題が発生したかもしれない（例えばＰＵＣＣＨリソースが無効になったかアップリンクタイミングと同期しなくなることにより、ＵＥから送られたＤ−ＳＲメッセージがネットワークにより正常に受信・復号されない）。前記方法４０に比べて、本発明の実施例ではＳＲプロシージャに対応するＲＡプロシージャを実行する前に、ＵＥのすべてのＨＡＲＱバッファの内容を消去し、ＵＥがアップリンク伝送を行い（例えば非適応再送（Ｎｏｎ−ａｄａｐｔｉｖｅ  ｒｅｔｒａｎｓｍｉｓｓｉｏｎ）方式でＨＡＲＱバッファのデータを再送するか、またはダウンリンク受信データのＡＣＫ／ＮＡＣＫ制御メッセージを返信する）、アップリンク伝送が失敗するのを防止する。もっとも、方法４０と５０は以上に限らず、同じ実施例として合併してもよい。
【００２９】
注意すべきは、前掲実施例は本発明の例示に過ぎない。ＲＡプロシージャを実行する前に、割り当てられた所定の伝送リソースを解放するかまたは使用を停止し、ＲＡプロシージャのメッセージ２で運ばれるＵＬ−ＳＣＨリソースと衝突するのを防ぐ動作ならば、すべて本発明の範囲に属する。
【００３０】
図６を参照する。図６は本発明による方法６０のフローチャートである。下記方法６０は無線通信システムのＵＥにおいてＳＲプロシージャとＲＡプロシージャの相互作用を改善するために用いられ、ＳＲプロシージャ・ＲＡプロシージャ相互作用改善プログラム２２０としてコンパイルすることができる。
【００３１】
ステップ６００：開始。
ステップ６０２：ＲＡプロシージャをトリガーする。
ステップ６０４：前記ＲＡプロシージャを実行する前に、ＵＥに割り当てられたすべての所定伝送リソースの使用を停止する。
ステップ６０６：終了。
【００３２】
以上のように、ＲＡプロシージャがトリガーされた（例えばＵＥにＰＵＣＣＨが配置されていない状態で、ＳＲプロシージャによりＲＡプロシージャがトリガーされた）後、本発明ではＲＡプロシージャを実行する前に、ＵＥに割り当てられたすべての所定伝送リソースの使用を停止し、ＵＥのアップリンク伝送エラーやＲＡプロシージャの失敗を防止する。
【００３３】
まとめて言えば、本発明の実施例では、ＵＥがＳＲプロシージャに対応するＲＡプロシージャを実行した場合に発生しうるＵＥのアップリンク伝送エラーやＲＡプロシージャの失敗を防止するために、ＳＲプロシージャとＲＡプロシージャの相互作用を改善する方法を提供する。
【００３４】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【符号の説明】
【００３５】
１０  無線通信システム
１００  無線通信装置
１０２  入力装置
１０４  出力装置
１０６  制御回路
１０８  ＣＰＵ
１１０  記憶装置
１１２  プログラム
１１４  トランシーバー
２００  アプリケーション層
２０２  第三層インターフェイス
２０６  第二層インターフェイス
２１８  第一層インターフェイス
２２０  ＳＲプロシージャ・ＲＡプロシージャ相互作用改善プログラム
【図１】
2010088114.tif 000003
【図２】
2010088114.tif 000004
【図３】
2010088114.tif 000005
【図４】
2010088114.tif 000006
【図５】
2010088114.tif 000007
【図６】
2010088114.tif 000008